(57)【要約】【課題】副制御基板と液晶表示装置とを接続するコネクタ同士の嵌合作業をなくし、取付状態を容易に確認できる遊技機を提供する。【解決手段】ベース枠２に取り付けられた副制御基板８００と、副制御基板８００との間で遊技に係る情報を通信可能な液晶表示装置２０と、副制御基板８００に設けられた発光ダイオード８００−１と、液晶表示装置２０に設けられ、発光ダイオード８００−１と光学的に結合可能なフォトトランジスタ２０−１と、ベース枠２に対して副制御基板８００と液晶表示装置２０とが所定の取付状態となったときに発光ダイオード８００−１とフォトトランジスタ２０−１との間の光路を形成して両者を光学的に結合し、当該取付状態でないときには発光ダイオード８００−１とフォトトランジスタ２０−１との間の光路を遮断して両者の光学的結合を阻止する貫通孔６００−１とを有する構成とする。【選択図】図２０
2008023119.tif 000002
【特許請求の範囲】
【請求項１】
ベース枠に取り付けられ、電気的動作を実行する第１の部材と、
前記第１の部材との間で遊技に係る情報を通信可能な第２の部材と、
前記第１の部材に設けられ、遊技に係る情報の光信号を送信または受信する第１の光学デバイスと、
前記第２の部材に設けられ、前記第１の光学デバイスと光学的に結合可能な第２の光学デバイスと、
前記ベース枠に対して前記第１の部材と前記第２の部材とが所定の取付状態となったときに前記第１の光学デバイスと前記第２の光学デバイスとの間の光路を形成して両者を光学的に結合する一方、当該取付状態でないときには前記第１の光学デバイスと前記第２の光学デバイスとの間の光路を遮断して両者の光学的結合を阻止する光路形成手段と、
を有することを特徴とする遊技機。
【請求項２】
前記第１の部材は、前記ベース枠に対して背面側から当該ベース枠に密着して取り付けられ、
前記第２の部材は、前記ベース枠に対して前面側から当該ベース枠に密着して取り付けられ、
前記光路形成手段は、前記ベース枠に形成され、前記第１の部材と前記第２の部材とが所定の取付状態となったときに前記第１の光学デバイスと前記第２の光学デバイスとが臨む貫通孔である、
ことを特徴とする請求項１記載の遊技機。
【請求項３】
前記第１の部材および前記第２の部材は、ともに前記ベース枠に対して背面側から当該ベース枠に取り付けられ、
前記光路形成手段は、前記第１の部材と前記第２の部材との間に配置され、前記第１の部材と前記第２の部材とが所定の取付状態となったときに一方端に前記第１の光学デバイスが面するとともに他方端に前記第２の光学デバイスが面する筒状部材である、
ことを特徴とする請求項１記載の遊技機。
【請求項４】
前記遊技機の前面側から視認可能に設けられ、前記第１の光学デバイスと前記第２の光学デバイスとが光学的に結合している旨を報知する報知手段をさらに有する
ことを特徴とする請求項１〜３の何れか一項に記載の遊技機。
【発明の詳細な説明】
【技術分野】
【０００１】
本発明は遊技機に関し、特に、電気的動作を実行する第１の部材と第２の部材とのベース枠に対する取付構造に関するものである。
【背景技術】
【０００２】
遊技機を構成するベース枠の背面には、主制御回路や副制御回路が搭載されて電気的動作を実行する部材（第１の部材）が取り付けられている。また、ベース枠の前面には、遊技球が転動流下する遊技領域を備えた遊技盤が配置され、その背面側には第１の部材により駆動される液晶表示装置（第２の部材）が取り付けられている。
【０００３】
そして、例えば特許文献１に記載のように、第１の部材から延出された配線に端子を取り付けてこれをコネクタに挿入し、第２の部材から延出された配線にも端子を取り付けてこれを前記コネクタと嵌合可能なコネクタに挿入し、これらのコネクタ同士を相互に嵌合させることにより、第１の部材と第２の部材とを電気的に接続している。
【０００４】
そして、これにより、第１の部材に搭載された所定の回路により第２の部材である液晶表示装置が駆動されて画像が表示される。
【特許文献１】特開２００３−３１０９７８号公報
【発明の開示】
【発明が解決しようとする課題】
【０００５】
しかしながら、特許文献１に記載の構成によれば、一般にコネクタの嵌合は作業者による手作業にて行われるために、コネクタが例えば狭隘な箇所に存在する場合には、当該コネクタの嵌合作業に時間を要してしまい、作業性が悪化する。
【０００６】
また、端子の接続を行うコネクタであると、配線をある程度余裕のある長さに設定してあるため、第１の部材や第２の部材が本来取り付けられる箇所に適正に取り付けられていなくても、コネクタ同士は嵌合可能となる。したがって、第１の部材と第２の部材との取付状態とコネクタの嵌合状態とが必ずしもリンクしないためにコネクタの嵌合状態で第１の部材と第２の部材との取付状態を確認することができず、融通が利かない。
【０００７】
そこで、本発明は、第１の部材と第２の部材とを接続するためのコネクタ同士の嵌合作業をなくすことのできる遊技機を提供することを目的とする。
【０００８】
また、本発明は、第１の部材と第２の部材との取付状態を容易に確認することのできる遊技機を提供することを目的とする。
【課題を解決するための手段】
【０００９】
上記課題を解決するため、請求項１に記載の本発明の遊技機は、ベース枠に取り付けられ、電気的動作を実行する第１の部材と、前記第１の部材との間で遊技に係る情報を通信可能な第２の部材と、前記第１の部材に設けられ、遊技に係る情報の光信号を送信または受信する第１の光学デバイスと、前記第２の部材に設けられ、前記第１の光学デバイスと光学的に結合可能な第２の光学デバイスと、前記ベース枠に対して前記第１の部材と前記第２の部材とが所定の取付状態となったときに前記第１の光学デバイスと前記第２の光学デバイスとの間の光路を形成して両者を光学的に結合する一方、当該取付状態でないときには前記第１の光学デバイスと前記第２の光学デバイスとの間の光路を遮断して両者の光学的結合を阻止する光路形成手段と、を有することを特徴とする。
【００１０】
このように、第１の光学デバイスと第２の光学デバイスとを光学的に結合させることにより第１の部材と第２の部材とが光信号を介して遊技に係る情報のやり取りを行うようになっているので、第１の部材と第２の部材とから延出された配線を相互に接続するための端子の挿入されたコネクタが不要になる。これにより、コネクタ同士の嵌合作業をなくすことができる。
【００１１】
また、第１の部材と第２の部材とが所定の取付状態になった場合に限り第１の光学デバイスと第２の光学デバイスとの間の光路が光路形成手段により形成されて両者の光学的結合がなされ光信号による遊技情報のやり取りができるので、遊技情報のやり取りが可能か否かによって第１の部材と第２の部材との取付状態を容易に確認でき、これら第１の部材と第２の部材とを確実性をもって取り付けることが可能になる。
【００１２】
請求項２に記載の本発明は、請求項１記載の発明の構成に加えて、前記第１の部材は、前記ベース枠に対して背面側から当該ベース枠に密着して取り付けられ、前記第２の部材は、前記ベース枠に対して前面側から当該ベース枠に密着して取り付けられ、前記光路形成手段は、前記ベース枠に形成され、前記第１の部材と前記第２の部材とが所定の取付状態となったときに前記第１の光学デバイスと前記第２の光学デバイスとが臨む貫通孔である、ことを特徴とする。
【００１３】
このように、第１の部材と第２の部材とがベース枠に密着して取り付けられることにより、ベース枠に形成された光路形成手段である貫通孔からの光の漏れを防止することができるので、遊技情報のやり取りを正確に行うことが可能になる。
【００１４】
請求項３に記載の本発明は、請求項１記載の発明の構成に加えて、前記第１の部材および前記第２の部材は、ともに前記ベース枠に対して背面側から当該ベース枠に取り付けられ、前記光路形成手段は、前記第１の部材と前記第２の部材との間に配置され、前記第１の部材と前記第２の部材とが所定の取付状態となったときに一方端に前記第１の光学デバイスが面するとともに他方端に前記第２の光学デバイスが面する筒状部材である、ことを特徴とする。
【００１５】
このように、第１の光学デバイスと第２の光学デバイスとが光路形成手段である筒状部材を介して光学的に結合することにより、第１の光学デバイスと第２の光学デバイスとの間における光の漏れを防止することができるので、遊技情報のやり取りを正確に行うことが可能になる。
【００１６】
請求項４に記載の本発明は、請求項１〜３の何れか一項に記載の発明の構成に加えて、前記遊技機の前面側から視認可能に設けられ、前記第１の光学デバイスと前記第２の光学デバイスとが光学的に結合している旨を報知する報知手段をさらに有することを特徴とする。
【００１７】
これにより、第１の部材と第２の部材とが所定の取付状態で取り付けられているか否かを、第１の光学デバイスと第２の光学デバイスとが光学的に結合している旨を報知する報知手段を介して確認することができるので、遊技機を開閉してこれらの部材の取付状態を確認する必要がなくなる。
【発明の効果】
【００１８】
本発明によれば以下の効果を奏することができる。
【００１９】
すなわち、本発明によれば、第１の部材と第２の部材とを接続するためのコネクタ同士の嵌合作業をなくすことができる。
【００２０】
また、本発明によれば、第１の部材と第２の部材との取付状態を容易に確認することが可能になる。
【発明を実施するための最良の形態】
【００２１】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２２】
図１は本発明の一実施の形態である遊技機を示す斜視図、図２は図１の遊技機の正面図、図３は本発明の一実施の形態に係る遊技機の遊技盤を示す正面図、図４は図３の遊技盤の斜視図、図５は図１の遊技機の取付係合部、上下方向規制部および左右方向規制部を説明する図、図６は図１の遊技機に係る左上の取付係合部を示す斜視図、図７は図１の遊技機に係る左下の取付係合部を示す斜視図、図８は図１の遊技機に係る右下の取付係合部を示す斜視図、図９は図１に示した遊技機の制御系を示すブロック図、図１０は図１の遊技機の背面図、図１１は図９の制御系の要部を示すブロック図、図１２は図１に示した遊技機の構成要素の一部を抽出して表面側から見た分解斜視図、図１３は図１に示した遊技機の構成要素の一部を抽出して背面側から見た分解斜視図、図１４は図１の遊技機に取り付けられた液晶表示装置を示す正面図、図１５は図１の遊技機に取り付けられた液晶表示装置を背面側から見た斜視図、図１６は図１の遊技機の本体の内部の一例を示す正面図、図１７は図１の遊技機の本体に設けられた下端支持段部近傍を示す斜視図、図１８は図１の遊技機の本体に設けられた他の下端支持段部近傍を示す斜視図、図１９は図１の遊技機の本体に設けられた他の下端支持段部近傍を拡大して示す斜視図、図２０は液晶表示装置および副制御基板の本体に対する取り付けの様子を示す説明図、図２１は液晶表示装置と遊技盤との配置関係を説明する斜視図、図２２は本発明の他の実施の形態である遊技機における液晶表示装置と副制御基板との取付形態を示す説明図である。
【００２３】
図１および図２に示すように、パチンコ遊技機（遊技機）１は、遊技盤１０（図３、図４および図５参照）が装着されるベース枠２と、ベース枠２内で遊技盤１０の背後に設けられる表示装置としての液晶表示装置（ＬＣＤ）２０（図６参照）と、このベース枠２に取り付けられるガラス扉３、上皿部４、下皿部５、カバー６およびハンドル７とを備えている。
【００２４】
ガラス扉３および上皿部４は一体化して形成されており、この一体化された開閉扉（開閉体）は、その一端がベース枠２に回動可能に軸支され、他端がベース枠２に係合するようになっている。ガラス扉３は、動作可能に設けられた遊技盤１０を視認可能に被うものである。
【００２５】
上皿部４はガラス扉３の下側に位置し、払い出された遊技球および遊技領域に打ち込まれる遊技球が貯留される上皿４ａを有している。上皿部４の所定の位置に、遊技終了時などにおいて上皿４ａに貯留された遊技球を後述する下皿５ａに移動させて取り出す場合に操作されるシャッタレバー８が設けられている。
【００２６】
上皿部４の下側に位置する下皿部５は、ベース枠２に固定されており、払い出しにより上皿４ａからオーバーフローした遊技球が貯留される下皿５ａを有している。
【００２７】
下皿部５の右側に設けられたハンドル７は、外レール１１ａおよび内レール１１ｂ（図３および図４参照）を介して遊技盤１０の遊技領域１０ａへ遊技球を打ち込む際に回動操作されるものであり、遊技球の発射を停止させるストップボタン（図示せず）が設けられている。
【００２８】
ガラス扉３の上側に位置するカバー６はベース枠２に固定されており、カバー６の左右の部位６ａ，６ｂは、ベース枠２に設けられる左右のスピーカ８ａ，８ｂ（図９）にそれぞれ対応しており、スピーカ８ａ，８ｂからの音声が聞こえるような構造になっている。
【００２９】
液晶表示装置２０は、演出画像（例えば、遊技状態に対応したアニメーションやその他の報知情報など。）等を表示可能な表示領域２０ａを備えている。
【００３０】
遊技盤１０は、図３および図４に示すように、外レール１１ａおよび内レール１１ｂに包囲され、遊技球の流下が可能な遊技領域１０ａを有している。そして、その遊技領域１０ａには、多数の遊技くぎや風車などの障害物（図示せず）、一般入賞口１２、通過ゲート１３、可変入賞装置である大入賞口１５、アウト口１６、ワープ口１９、普通図柄表示装置（図示せず）、特別図柄表示装置（図示せず）などと、始動口１４、ポケット１４ａおよび普通電動役物１７を有する電動役物構成部材１８からなる遊技部材が配置されている。さらに、遊技領域１０ａの上部右側には、液晶表示装置２０に取り付けられた報知手段としての報知ランプ３９ｂ（詳細は後述する）が視認可能になっている。
【００３１】
ここで、一般入賞口１２は、遊技球が入賞（流入）すると所定の数の遊技球が払い戻される装置である。また、当該一般入賞口に入賞した球は、遊技盤１０の背面側に設けられた一般球通路（図示せず）を転動流下して回収される。
【００３２】
通過ゲート１３は、遊技球が通過したことを契機として普通図柄表示装置の複数の図柄を変動・停止させる装置、大入賞口１５は、特別図柄表示装置の停止時における図柄の組み合わせが予め設定された特定の図柄の組み合わせとなって特別遊技状態に移行した場合に開放状態となる装置である。また、当該大入賞口１５に入賞した球は、遊技盤１０の背面側に設けられた大入賞球通路（図示せず）を転動流下して回収される。また、アウト口１６は、一般入賞口１２、始動口１４、大入賞口１５、普通電動役物１７の何れにも入賞（流入）しなかった遊技球が流入して回収される装置である。
【００３３】
ワープ口１９は、流入した遊技球を、遊技盤１０の背面側に配置されているワープ球通路１９ａへと導く装置である。
【００３４】
ワープ球通路１９ａに導かれた遊技球は、ワープ球通路１９ａを転動流下し、始動口１４の上方に位置するワープ出口１９ｂから排出される。つまり、ワープ口１９に流入した遊技球は、ワープ球通路１９ａによって始動口１４へと案内される。
【００３５】
ここで、ワープ球通路１９ａは、前述のように遊技盤１０の背面側に配置されており、図３においては点線で示されている。また、当該ワープ球通路１９ａは、少なくとも一部が透明性を有している。
【００３６】
普通電動役物１７は、遊技球を受け入れる受け入れ口１７ａを有しており、遊技球を受け入れ易い状態と、遊技球を受け入れ難い状態との間で切換可能な開閉機構を備えた装置である。この普通電動役物１７は、通常の状態では遊技球を受け入れ難い状態となっており、所定の条件が成立した場合（例えば、普通図柄表示装置が、「当り」を意味する図柄で停止した場合）に、所定時間（例えば、０．３秒間）だけ開いて遊技球を受け入れ易い状態に切り換えられる。なお、当該受け入れ口１７ａに遊技球が入賞すると所定の数の遊技球が払い戻される。
【００３７】
始動口１４は、遊技球が入賞（流入）すると特別図柄表示装置の図柄を変動・停止させる装置である。当該始動口１４に入賞した遊技球は、ポケット１４ａに入った後、遊技盤１０の背面側の始動球通路３３を転動流下して回収される。
【００３８】
ここで、始動球通路３３は、始動球通路３３ａおよび始動球通路３３ｂから構成されて遊技盤１０の背面側に配置されており、図３においては点線で示されている。また、当該始動球通路３３は、少なくとも一部が透明性を有している。
【００３９】
図３において、向かって右側の斜線で示す始動球通路３３ｂに関しては、本実施の形態では封鎖されているため、当該通路を遊技球が流下することはない。よって、遊技球が流下するのは専ら図３において向かって左側の始動球通路３３ａとなる。
【００４０】
本実施の形態において、遊技盤１０は、たとえばポリカーボネートなど透光性（透明性）を有する樹脂からなり、前述した液晶表示装置２０は、このような遊技盤１０の背後に配置され、遊技盤１０を通して視認可能になっている。
【００４１】
但し、遊技盤１０は透光性を有してさえいれば、ポリカーボネート以外の部材であってもよいし、スモークがかかったような半透明の部材でもよい。また、例えば木製など透光性を有していない部材を用いてもよい。遊技盤が透光性を有していない場合には、液晶表示装置２０は、遊技盤１０に開口された表示窓を介して視認可能に配置される。
【００４２】
また、液晶表示装置２０にかえて、例えばプラズマディスプレイ等の表示装置を用いることもできる。
【００４３】
ここで、図３および図４に示すように、四角形の遊技盤１０には、その４ヶ所の隅部に、ベース枠２に設けられた４ヶ所の取付係合部と係合する取付部１１０，１２０，１３０，１４０が設けられている。
【００４４】
取付部１１０および取付部１２０には、遊技盤１０の左側方（遊技盤１０を表面から見て左側）に突出したピン部１１１およびピン部１２１が、一方、取付部１３０および取付部１４０には、遊技盤１０の右側方（遊技盤１０を表面から見て右側）に突出したピン部１３１およびピン部１４１が、それぞれ設けられている。
【００４５】
図５に示すように、ベース枠２には、遊技盤１０を固定するための予め決められた４ヶ所の部位に、遊技盤１０の取付部１１０，１２０，１３０，１４０のそれぞれと係合する取付係合部２１０，２２０，２３０，２４０が設けられている。なお、図５は、上記一体化された開閉扉（ガラス扉３および上皿部４）を開放（全開放）し、ベース枠２に対し液晶表示装置２０を取り付けるとともに遊技盤１０を取り外した状態を示している。
【００４６】
取付係合部２１０，２２０，２３０，２４０は、ベース枠２の前方向から取付部１１０，１２０，１３０，１４０のピン部１１１，１２１，１３１，１４１を受け入れて、このピン部１１１，１２１，１３１，１４１を後方へ案内する案内部３１０と、案内部３１０の後端において陥没形成されて、案内部３１０に案内されたピン部１１１，１２１，１３１，１４１を落とし込んで収納することによりピン部１１１，１２１，１３１，１４１の前方向への動きを規制する収納部３２０とを有している。
【００４７】
すなわち、左上に位置する取付係合部２１０は、図６に示すように、ベース部３１１および可動規制部（前方向規制部）４００を有している。ベース部３１１は、ベース枠２の前方向から取付部１１０のピン部１１１を受け入れて、当該ピン部１１１を所定の位置において前方向への動き（つまり遊技盤１０の前方向への動き）を規制する機能を有している。可動規制部４００は、遊技盤１０の上方向および前方向の動きを規制する機能を有している。
【００４８】
左下に位置する取付係合部２２０は、図７に示すように、ベース枠２の前方向から取付部１２０のピン部１２１を受け入れて、当該ピン部１２１を所定の位置において前方向への動き（つまり遊技盤１０の前方向への動き）を規制する機能を果たすベース部３１１を有している。この取付係合部２２０は、取付係合部２１０のベース部３１１と同一である。
【００４９】
右上に位置する取付係合部２３０は、取付係合部２１０の構成（構造）と同様に、ベース部および可動規制部を有している。ベース部は、ベース枠２の前方向から取付部１３０のピン部１３１を受け入れて、当該ピン部１３１を所定の位置において前方向への動き（つまり遊技盤１０の前方向への動き）を規制する機能を有している。可動規制部は、遊技盤１０の上方向および前方向の動きを規制する機能を有している。
【００５０】
右下に位置する取付係合部２４０は、図８に示すように、取付係合部２２０の構成（構造）と同様に、ベース枠２の前方向から取付部１４０のピン部１４１を受け入れて、当該ピン部１４１を所定の位置において前方向への動き（つまり遊技盤１０の前方向への動き）を規制する機能を果たすベース部を有している。
【００５１】
なお、遊技盤１０の下側に設けられる取付部１２０，１４０と係合する取付係合部２２０，２４０には、取付係合部２１０，２３０に設けられている可動規制部は設けられていない。
【００５２】
再度、図５を参照して説明する。取付係合部２１０および取付係合部２３０は、それぞれ遊技盤１０の上方向の動きを規制する上方向規制部（図示せず）を有している。
【００５３】
ベース枠２には、取付係合部２２０の固定位置と取付係合部２４０の固定位置との間であって、当該２つの固定位置間を結ぶ線分よりも下方の所定の位置に、遊技盤１０の下方向の動きを規制する下方向規制部５１３と下方向規制部５１４とがそれぞれ設けられている。
【００５４】
この実施の形態では、取付係合部２１０および取付係合部２３０の各上方向規制部と、下方向規制部５１３，５１４とで、遊技盤１０の上下方向の動きを規制する上下方向規制部の機能を果たすようになっている。
【００５５】
また、ベース枠２には、取付係合部２１０の固定位置と取付係合部２２０の固定位置との間の所定位置に、遊技盤１０の左右方向の動きを規制する左右方向規制部５１５と、取付係合部２３０の固定位置と取付係合部２４０の固定位置との間の所定位置に、遊技盤１０の左右方向の動きを規制する左右方向規制部５１６と、がそれぞれ設けられている。
【００５６】
下方向規制部５１３，５１４は、図７および図８に示すように、コ字型の形状を有しており、このコ字型形状の平坦な部位の両側から突出している部位（凸部）５１３ａ，５１４ａの先端面が、遊技盤１０の下端面と接するようになっている。しかも、下方向規制部５１３，５１４は、当該遊技盤１０の下方向の動きを規制すべくベース枠２の所定の位置に固着されている。
【００５７】
左右方向規制部５１５は、図７に示すように、遊技盤１０の左側端面（遊技盤１０を表面から見て左）と接する部位、遊技盤１０の裏面と接する部位とが形成された切り欠き部５１５ａを有している。左右方向規制部５１６は、図８に示すように、遊技盤１０の右側端面（遊技盤１０を表面から見て右）と接する部位、遊技盤１０の裏面と接する部位とが形成された切り欠き部５１６ａを有している。
【００５８】
ところで、上述した上下方向規制部（取付係合部２１０，２３０および下方向規制部５１３，５１４）、および左右方向規制部５１５，５１６は、遊技盤１０に取り付けられた各取付部１１０，１２０，１３０，１４０のピン部１１１，１２１，１３１，１４１が、各取付係合部２１０，２２０，２３０，２４０に形成された後述する収納部３２０により前方向への動きを規制された状態において、遊技盤１０の上下方向あるいは左右方向の動きを規制するようになっている。
【００５９】
液晶表示装置２０は、図６〜図８に示すように、その上側は取付係合部２１０，２３０によって前方への倒れが阻止されるとともに、段部５３１，５３２によって上方向の移動が規制され、一方、その下側はベース枠２に形成された２カ所の下端支持段部（支持部）５１７，５１８によって支持されている。なお、液晶表示装置２０の支持構造についての詳細は後述する。
【００６０】
次に、図１に示したパチンコ遊技機１の制御系について、図９を参照して説明する。なお、図９は図１に示した遊技機の制御系を示すブロック図である。
【００６１】
パチンコ遊技機１の制御系は、主制御回路２００、この主制御回路２００に接続される副制御回路３００、払出制御回路７０ａおよび発射制御回路７０ｂを有している。この制御系は遊技盤１０の背面側に搭載されている。
【００６２】
パチンコ遊技機１の払出制御回路７０ａには、カードユニット８１が接続されている。
【００６３】
カードユニット８１は、パチンコ遊技機１の近傍に設置され、プリペイドカードを差込可能な差込口を有しており、当該差込口に差し込まれたプリペイドカードに記録された記録情報を読み取る読み取り手段と、球貸し操作パネルの操作に応じて、払出制御回路７０ａに対し遊技球の貸出を指令する貸出指令信号を出力する貸出指令信号出力手段と、読み取り手段によって読み取った記録情報から特定される貸出可能数から貸出指令信号出力手段により貸出を指令した貸出数を減算し、上記差込口に差し込まれているプリペイドカードに当該情報を記録させる書き込み手段とを有している。
【００６４】
主制御回路２００には、予め設定されたプログラムに従ってパチンコ遊技機１の遊技の進行を制御するメインＣＰＵ（超小型演算処理装置）２０１、異常時や電源投入時に各種設定を初期値に戻すためのリセット信号を生成する初期リセット回路２０４、ＬＥＤ等の表示制御を行うランプ制御回路２０７、メインＣＰＵ２０１が動作する上で必要な各種データを記憶するメインＲＡＭ２０３が実装されている。
【００６５】
そしてさらに主制御回路２００には、メインＣＰＵ２０１が遊技機１の遊技動作を処理制御するためのプログラム、大入賞口１５への遊技球の入賞に応じて払出される遊技球数を決定する際に参照される大入賞装置賞球数特定テーブル、大当り抽選をする際に参照される大当り抽選テーブル、乱数抽選によって普通当り抽選をする際に参照される普通当り抽選テーブル、乱数抽選によって装飾図柄の変動表示パターンを決定する際に参照される変動表示パターン決定テーブルおよびその他の演出を抽選する際に参照される各種確率テーブル、を格納しているメインＲＯＭ２０２が実装されている。
【００６６】
メインＲＡＭ２０３は、後述する始動記憶領域（“０”〜“４”）に記憶される始動記憶をカウントするための始動記憶カウンタ、後述する通過記憶領域（“０”〜“４”）に記憶される通過記憶をカウントするための通過記憶カウンタ、１回のラウンド動作中に大入賞口１５に入賞した遊技球の数を記憶するための大入賞装置入賞カウンタ、１回の大当り遊技状態中において大入賞口１５が開放状態となった回数（すなわち、１回の大当り遊技状態中におけるラウンドの動作回数）を記憶するための大入賞装置開放回数カウンタなどを具備する。
【００６７】
なお、１回のラウンド動作とは、大入賞口１５が開放状態となってから所定の時間（例えば、３０秒）が経過するまで、または大入賞口１５が開放状態となってから所定数（例えば、１０個）の遊技球が当該大入賞口１５に入賞して閉鎖状態となるまでの期間のことである。
【００６８】
ここで、メインＲＡＭ２０３は、（“０”〜“４”）の始動記憶領域を有している。
【００６９】
なお、始動記憶領域とは、上述した始動記憶が、始動記憶領域“０”から順に記憶される領域のことである。また、始動記憶領域（“１”〜“４”）に記憶されている大当り抽選用乱数値などは、特別図柄始動記憶表示器２２に表示される始動記憶に相当し、始動記憶領域“０”に記憶されている大当り抽選用乱数値などは、大当り抽選処理などに用いられるものである。
【００７０】
さらに、メインＲＡＭ２０３は、（“０”〜“４”）の通過記憶領域を有している。
【００７１】
なお、通過記憶領域とは、通過ゲート１３を遊技球が通過したことを条件として抽出される普通当り抽選用乱数値などが、通過記憶領域“０”から順に記憶される領域のことである。また、通過記憶領域（“１”〜“４”）に記憶されている普通当り抽選用乱数値などは、普通図柄通過記憶表示器２３に表示される通過記憶に相当し、通過記憶領域“０”に記憶されている普通当り抽選用乱数値などは、普通当り抽選などに用いられるものである。
【００７２】
またメインＲＡＭ２０３は、高確率フラグを具備している。ここで、高確率フラグは、遊技状態が確率変動状態に移行されると確率変動状態を示す値（７７）がセットされ、一方、遊技状態が非確率変動状態（確率変動状態以外の遊技状態）に移行されると非確率変動状態を示す値（００）がセットされるようになっている。
【００７３】
メインＣＰＵ２０１は、大当り抽選手段、遊技状態制御手段、特別図柄態様決定手段、変動表示パターン決定手段およびコマンド送信手段の各機能を有している。
【００７４】
大当り抽選手段は、所定の条件が成立した場合（始動口１４や普通電動役物１７に遊技球が入賞した場合）に大当りの抽選を行う手段である。なお、大当りには通常大当りと確率変動大当りとの２種類があり、確率変動大当りであった場合は、大当り遊技状態の終了後、大当り態様や特定の態様の導出が行われ易い確率変動状態の制御が行われる。
【００７５】
遊技状態制御手段は、通常遊技状態および確率変動状態の制御を行う手段である。
【００７６】
特別図柄態様決定手段は、特別図柄の停止態様を決定する手段である。具体的には、特別図柄態様決定手段は、上記大当り抽選手段の抽選結果に基づいて、特別図柄表示器２４における特別図柄の停止態様を決定している。また、特別図柄態様決定手段は、特別図柄の停止態様を決定した場合、当該停止態様を示す停止図柄コマンドを生成してセットしている。
【００７７】
変動表示パターン決定手段は、特別図柄の変動表示パターンや変動表示時間を決定する手段である。具体的には、特別図柄態様決定手段は、上記抽選手段の大当り抽選結果および所定の乱数抽選に基づいて、特別図柄の変動表示パターンや変動表示時間を示す変動表示パターンコマンドを決定している。これにより、特別図柄の変動表示パターンや変動表示時間が決定される。また、特別図柄態様決定手段は、決定した変動表示パターンコマンドを生成してセットしている。
【００７８】
なお、メインＣＰＵ２０１は、変動表示パターン決定手段や特別図柄態様決定手段により特別図柄の変動表示パターンや停止態様が決定されると、当該変動表示パターンや停止態様を特別図柄表示器２４に表示させるためにランプ制御回路２０７を制御するようになっている。
【００７９】
上述した各手段の機能をそれぞれ実現するためのプログラムがメインＲＯＭ２０２に格納されており、メインＣＰＵ２０１が、これら各プログラムをメインＲＯＭ２０２からローディングするとともに演算結果をメインＲＡＭ２０３へ更新記憶して実行することにより、上述した各手段の機能を実現するようになっている。勿論、上述した各手段は、専用のハードウェアで構成するようにしても良い。
【００８０】
さらに、コマンド送信手段であるメインＣＰＵ２０１は、生成した各種のコマンド（変動表示パターンコマンド、停止図柄コマンド等）を副制御回路３００のサブＣＰＵ３０１に送信することにより、当該遊技における演出を実行させている。
【００８１】
そして、本実施の形態では、上記各種のコマンド（変動表示パターンコマンドや停止図柄コマンド等）に基づいて、液晶表示装置２０などによる表示の演出、スピーカなど音発生手段による音の演出、およびランプあるいはＬＥＤなど発光手段による光の演出等が行われる。
【００８２】
主制御回路２００のＩ／Ｏポート（図示せず）には、通過ゲート１３の内側に設けられ、遊技球が通過するのを検出するセンサである通過ゲートスイッチ１９Ｓａ、始動入賞装置１８に設けられ、当該始動入賞装置１８に入賞した遊技球を検出するセンサである始動入賞装置スイッチ１９ａ，１９ｂが接続されている。
【００８３】
また、Ｉ／Ｏポートには、大入賞口１５内の通過領域に設けられ、当該通過領域を通過する遊技球を検出するセンサである大入賞装置スイッチ１９Ｓｅ、一般入賞装置１２へ入賞した遊技球を検出するセンサである一般入賞装置スイッチ１９Ｓｂ、およびメインＲＡＭ２０３に記憶されている各種データを消去するためのバックアップクリアスイッチ７４Ｓが接続されている。
【００８４】
さらに、Ｉ／Ｏポートには、次の各構成要素が接続されている。すなわち、始動入賞装置１８の可変翼１８ａ，１８ｂを駆動する可動部材ソレノイド７１Ｓ、大入賞口１５の扉１５ａを開閉する大入賞装置ソレノイド７２Ｓなどのアクチュエータが接続されている。
【００８５】
ここで、上記各センサが遊技球を検出すると、その検出信号は主制御回路２００のメインＣＰＵ２０１に入力されるので、メインＣＰＵ２０１は、その入力される検出信号に応じて、上記各アクチュエータ７１Ｓ、７２Ｓをそれぞれ駆動制御する。
【００８６】
主制御回路２００のコマンド出力ポート２０６からは、副制御回路３００、払出制御回路７０ａ、および発射制御回路７０ｂに対してそれぞれ制御指令（コマンド）が送信される。
【００８７】
この制御指令（コマンド）を受信した副制御回路３００のサブＣＰＵ３０１によって液晶表示装置２０、スピーカ８ａ，８ｂ、装飾ランプ３９ａの動作が制御されるとともに、この制御指令（コマンド）を受信した払出制御回路７０ａおよび発射制御回路７０ｂによって、払出装置８２および発射装置９０の動作が制御される。
【００８８】
払出制御回路７０ａには賞球や貸球等を払出す払出装置８２が接続されている。払出制御回路７０ａは、一般入賞装置１２、始動入賞装置１８、大入賞口１５などに遊技球が入賞したことを条件として主制御回路２００から出力される払出指令信号に応じて払出装置８２を駆動制御し、所定数の遊技球を賞球として払出させる。また、払出制御回路７０ａは、カードユニット８１から出力される貸出指令信号に応じて払出装置８２を駆動制御し、所定数の遊技球を貸球として払出させる。
【００８９】
発射制御回路７０ｂには遊技球を遊技領域１０ａに向けて発射する発射装置９０が接続されている。また、発射制御回路７０ｂは、ハンドル７の回動操作に応じて発射ソレノイドを駆動制御することにより、発射装置９０から遊技球を発射させる。
【００９０】
また、ランプ制御回路２０７には、特別図柄表示器２４、普通図柄表示器２５ａ，２５ｂ、普通図柄通過記憶表示器２３、特別図柄始動記憶表示器２２等のＬＥＤが電気的に接続されている。ランプ制御回路２０７は、メインＣＰＵ２０１の制御に基づき、上記ＬＥＤの表示制御を行う。
【００９１】
次に、副制御回路３００の構成について説明する。副制御回路３００には、サブＣＰＵ３０１、プログラムＲＯＭ３０２、ワークＲＡＭ３０３、コマンド入力ポート（図示せず）、画像制御回路３０５、音声制御回路３０６、およびランプ制御回路３０７が備えられている。
【００９２】
プログラムＲＯＭ３０２には、サブＣＰＵ３０１が、主制御回路２００から出力される各種コマンドに基づいて画像制御回路３０５を処理制御するための制御プログラム（演出データ）、音声制御回路３０６を処理制御するための制御プログラム、ランプ制御回路３０７を処理制御するための制御プログラム、複数種類の報知態様に関するデータなどが格納されている。
【００９３】
ワークＲＡＭ３０３は、サブＣＰＵ３０１が上記制御プログラムに従って処理制御を行う際の一時的な記憶手段となるものであり、メインＣＰＵ２０１から送信されたコマンド等を記憶する受信バッファ領域（図示せず）と、処理制御するのに必要なデータなどを記憶する作業領域（図示せず）とが割り当てられている。
【００９４】
サブＣＰＵ３０１は、コマンド入力ポートを介して主制御回路２００から受信したコマンドに基づいて抽選を行い、その抽選結果に従って画像制御回路３０５，音声制御回路３０６，ランプ制御回路３０７等の制御を行う。
【００９５】
また、サブＣＰＵ３０１は、装飾図柄態様決定手段、表示制御手段の機能を有している。
【００９６】
装飾図柄態様決定手段は、メインＣＰＵ（大当り抽選手段）２０１による抽選結果に応じて、装飾図柄の停止態様を決定する手段である。
【００９７】
具体的には、停止図柄決定手段は、メインＣＰＵ２０１から送信される停止図柄コマンドに応じて、装飾図柄の停止態様を決定している。
【００９８】
表示制御手段は、コマンド送信手段であるメインＣＰＵ２０１から変動表示パターンコマンドが送信された場合に、画像制御回路３０５に対して指示制御を行うことにより、当該変動表示パターンコマンドに応じた装飾図柄の変動表示制御や、その他の演出画像の表示制御等を行う手段である。
【００９９】
画像制御回路３０５は、サブＣＰＵ３０１からの指示（ワークＲＡＭ３０３の所定の作業領域にセットされた演出データに基づいた指示）に応じて、表示領域２１ａに装飾図柄の変動表示などの表示を実行するものであり、各種画像データを記憶する画像データＲＯＭ３０５ｂと、サブＣＰＵ３０１からの制御に応じて対応する画像データを画像データＲＯＭ３０５ｂから抽出し、抽出したその画像データを基にして装飾図柄の変動表示や演出画像の表示などを実行するためのデータを生成するＶＤＰ（Ｖｉｄｅｏ  Ｄｉｓｐｌａｙ  Ｐｒｏｃｅｓｓｏｒ）３０５ａと、ＶＤＰ３０５ａにより生成された表示画像データをアナログ信号に変換するＤ／Ａ変換回路（Ｄ／Ａコンバータ）３０５ｄとを具備する。
【０１００】
また、画像データＲＯＭ３０５ｂには、液晶表示装置２０に画像を表示させるための画像データが記憶されている。なお、各画像データには、表示領域２１ａに各画像データを表示させるために必要な複数の画素データ（ドット単位のデータ）が含まれている。
【０１０１】
ここで、ＶＤＰ３０５ａには、２つのバッファ領域が設けられたＶＲＡＭ３０５ｃが接続されている。ＶＤＰ３０５ａは、所定時間（例えば、１／３０秒）ごとに送信されるサブＣＰＵ３０１からの指示に基づいて、表示領域２１ａにおける表示を実行するためのデータを生成する際に、以下の処理を行う。ＶＤＰ３０５ａは、画像データＲＯＭ３０５ｂから、所定の画像データを読み出し、ＶＲＡＭ３０５ｃに展開するとともに、ＶＲＡＭ３０５ｃから、展開された画像データを読み出す。具体的には、ＶＤＰ３０５ａは、ＶＲＡＭ３０５ｃに設けられた一方のバッファ領域に対して、展開処理を行い、他方のバッファ領域から、既に展開処理が行われた画像データを読み出す。次にＶＤＰ３０５ａは、サブＣＰＵ３０１の指示に基づいて、展開処理対象のバッファ領域と、読み出し対象のバッファ領域とを切り換える。そして、ＶＤＰ３０５ａは、読み出した画像データを、Ｄ／Ａ変換回路３０５ｄを介して、表示領域２１ａに表示させる。
【０１０２】
なお、本実施の形態では、画像データを展開する記憶装置としてＶＲＡＭを使用しているが、これに限られず、他の記憶装置を利用してもよい。たとえば、データを高速で読み書きできるＳＤＲＡＭを用いてもよい。
【０１０３】
音声制御回路３０６にはスピーカ８ａ，８ｂが接続されている。音声制御回路３０６は、サブＣＰＵ３０１の制御に基づき、音信号を生成する。スピーカ８ａ，８ｂは、入力したこの音信号に基づいて音を発生する。
【０１０４】
ランプ制御回路３０７には装飾ランプ３９ａ（装飾ランプとは、遊技機１の各所に備え付けられているランプやＬＥＤ等の総称である）が接続されている。ランプ制御回路３０７は、サブＣＰＵ３０１の制御に基づき、信号を生成する。装飾ランプ３９ａは、入力したこの信号に基づいて点灯表示等を行う。
【０１０５】
このように、スピーカ８ａ，８ｂ、装飾ランプ３９ａおよび液晶表示装置２０は副制御回路３００との間で遊技に係る情報が通信可能となっており、サブＣＰＵ３０１がセットした（制御プログラム）演出データ（遊技に係る情報）に基づいて演出を行うようになっている。
【０１０６】
なお、パチンコ遊技機１における各処理は、上述のような電気的動作を実行する主制御回路２００と副制御回路３００とにより制御されているが、主制御回路２００は、副制御回路３００により制御される処理の全部または一部を処理してもよく、副制御回路３００は、主制御回路２００により制御される処理の全部または一部を処理してもよい。
【０１０７】
次に、ベース枠２の背面側の構造について、図１０を用いて説明する。
【０１０８】
図１０に示すように、ベース枠２の背面には、遊技機１の動作を実現するためのさまざまな電気部品や電気部品等を実装した基板等が搭載されている。
【０１０９】
例えば、ベース枠２の背面中央には、主制御基板を保持する主制御基板ケース１００が、ベース枠２の背面の中央よりやや下左側には図示しない電源基板を保持する電源基板ケース１５０が、そして、ベース枠２の背面の中央よりやや下右側には、払出制御基板（電気部品）を保持する払出基板ケース（図示せず）がそれぞれ搭載されている。
【０１１０】
ベース枠２の背面の中央よりやや上左側、すなわち主制御基板ケース１００の上方には、副制御基板ケース（図示せず）が搭載されている。副制御基板ケースには、主制御基板における主制御回路２００から受ける制御信号に基づいて所定の制御を実行する副制御回路３００が搭載された副制御基板８００（第１の部材）（図１１）が格納されている。
【０１１１】
ここで、主制御基板は、主制御回路２００が搭載された基板であり、前述のように、遊技盤１０に設けられた電気部品のうち、例えば特別図柄始動記憶表示器、普通図柄始動記憶表示器、特別図柄表示器、普通図柄表示器、ラウンド数表示器、大入賞口の開閉を行う大入賞口ソレノイド、普通電動役物１７の開閉を行う始動口ソレノイド等を駆動する基板である。電源基板は、各電子部品が動作するために必要な電圧の電源を生成する基板である。また、払出制御基板は、賞球や貸球等を払い出す払出装置８２を駆動制御する基板である。そして、副制御基板は、副制御回路３００が搭載された基板であり、液晶表示装置２０の画像表示制御や、遊技機１の各所に配置されているランプ・ＬＥＤ（電気部品）等の発光表示制御、スピーカ８ａ，８ｂからの音出力制御を行う制御回路が搭載された基板である。
【０１１２】
なお、ベース枠２の背面の上部には遊技球が貯留される貯留タンク４５０が配置されている。貯留タンク４５０の下方には、貯留タンク４５０に貯留された遊技球を払出装置７００に案内する整流樋６００が設けられている。整流樋６００の底面には、遊技球を整列して流下させるガイドレール（図示せず）が形成されており、これにより、貯留タンク４５０からの遊技球は整流されて払出装置７００へと案内される。さらに、ベース枠２の背面の各所には、電子部品を搭載した基板間を電気的に接続する配線（図示せず）が施設されている。
【０１１３】
図示するように、ベース枠２の背面には、副制御基板ケース、主制御基板ケース１００、電源基板ケース１５０、払出制御基板ケース等の基板ケースを覆う基板ケースカバー７０が、回動可能に軸支されて設けられている。
【０１１４】
すなわち、ベース枠２の図面左側には、基板ケースカバー７０を回動可能に軸支する軸部３０ａ，３０ｂが上下方向に設けられており、基板ケースカバー７０の一端に形成された軸受け部５０１ａ，５０１ｂが軸部３０ａ，３０ｂに軸支されることにより、基板ケースカバー７０はベース枠２の背面側に開閉可能に取り付けられる。
【０１１５】
そして、上記軸側に対向する端部、すなわち開閉端側には、基板ケースカバー７０の回動を防止する固定部５０２が形成されている。
【０１１６】
但し、これら基板ケースなどの搭載位置は一例に過ぎず、また、本発明の遊技機に搭載される電気部品や基板、基板ケースなどは列挙されたものに限定されない。
【０１１７】
ここで、図１１に示すように、副制御基板８００には、液晶表示装置２０に対して出力される遊技に係る情報（画像データ）を光信号に変換する複数の発光ダイオード（第１の光学デバイス）８００−１が設けられている。また、液晶表示装置２０には、このようにして副制御基板８００に設けられた発光ダイオード８００−１と光学的に結合して当該発光ダイオード８００−１からの光信号を受信する複数のフォトトランジスタ（第２の光学デバイス）２０−１が設けられている。
【０１１８】
したがって、副制御回路３００で生成されて副制御基板８００から出力された遊技に係る情報の内の液晶表示装置２０に対する画像データは、発光ダイオード８００−１により一旦光信号に変換された後、当該光信号を受信したフォトトランジスタ２０−１により電気信号へ戻され、液晶表示装置２０へ取り込まれることになる。
【０１１９】
副制御回路３００では画像データが生成されるのと同時に報知データも生成されるようになっており、副制御基板８００には、副制御回路３００で生成された当該報知データを光信号に変換する発光ダイオード８００−２が設けられている。また、液晶表示装置２０には、このようにして副制御基板８００に設けられた発光ダイオード８００−２と光学的に結合して当該発光ダイオード８００−２からの光信号を受信するフォトトランジスタ２０−２が設けられている。このフォトトランジスタ２０−２は、液晶表示装置２０に取り付けられた前述の報知ランプ３９ｂと電気的に接続されており、フォトトランジスタ２０−２が発光ダイオード８００−２からの光信号を受信することにより、報知ランプ３９ｂが点灯する。但し、報知ランプ３９ｂは、フォトトランジスタ２０−２が発光ダイオード８００−２からの光信号を受信することにより消灯するようになっていてもよい。
【０１２０】
なお、副制御基板８００に設けられた発光ダイオード８００−１，８００−２は、副制御基板８００をベース枠２の背面側に取り付けたときに前方を向くように取り付けられ、液晶表示装置２０に設けられたフォトトランジスタ２０−１，２０−２は、液晶表示装置２０をベース枠２の前面側に取り付けたときに後方を向くように取り付けられている。
【０１２１】
画像データおよび報知データはこのように光信号を介して副制御基板８００から液晶表示装置２０および報知ランプ３９ｂへと送られるようになっているが、液晶表示装置２０および報知ランプ３９ｂを駆動するための電源については、電源ラインＬを介して副制御基板８００から液晶表示装置２０に給電されるようになっている。
【０１２２】
図１２および図１３は、ベース枠２、液晶表示装置２０および基板ケースカバー７０の位置関係を分解して示している。
【０１２３】
ベース枠２は、木枠２ａと、この木枠２ａに回動可能に支持される本体２１１とを有している。本体２１１には、遊技盤１０および液晶表示装置２０を収容する凹部５００が形成されている。また、凹部５００の底部には、後述する液晶表示装置２０に設けられているインバータ基板を収容する凹部（以下、「インバータ基板収容凹部」という。）５２０が形成されている。
【０１２４】
そして、前述のように透光性を有する遊技盤１０は、液晶表示装置２０を視認可能に本体２１１に対し当該本体２１１の表面側から取り付けられる。
【０１２５】
また、液晶表示装置２０は、その裏面（背面）に液晶表示装置２０を照明するための冷陰極管のインバータであるインバータ基板を備え、ベース枠２（の本体２１１）に対しその表面側から取り付けられる。つまり、液晶表示装置２０は、遊技盤１０の背後に位置するように本体２１１に表面側から取り付けられる。なお、液晶表示装置２０の裏面には、図１５に示すように、このインバータ基板を保護すべく、カバーケース２１が取り付けられている。
【０１２６】
基板ケースカバー７０は、ベース枠２（の本体２１１）に対し当該本体２１１の背面側から取り付けられ、ベース枠２に取り付けられ様々な基板等を覆っている。
【０１２７】
液晶表示装置２０は、図１４に示すように、表示領域２０ａと、本体２１１に設けられているボス（ベース枠側ネジ穴）５４１，５４２，５４３，５４４（後述する）に固定される、例えばビス止めされる固定部２２，２３，２４，２５とを有している。
【０１２８】
固定部２２，２３，２４，２５には、ボス５４１，５４２，５４３，５４４に対応する固定孔（表示装置側ネジ穴）２２ａ，２３ａ，２４ａ，２５ａが形成されている。具体的には、上部に位置する固定部２２，２４では、それぞれ上下に３つずつ形成された孔の内の下の孔が固定孔２２ａ，２４ａとなっている。また、下部に位置する固定部２３，２５では、それぞれ上下に３つずつ形成された孔の内の上の孔が固定孔２３ａ，２５ａとなっている。そして、ネジなどの固定部材が、固定部２２，２３，２４，２５の固定孔２２ａ，２３ａ，２４ａ，２５ａを介して、本体２１１のボス５４１，５４２，５４３，５４４にネジ止めされることで、液晶表示装置２０がベース枠２に固定される。
【０１２９】
また、液晶表示装置２０の右上端部には報知ランプ３９ｂが配置されており、遊技盤１０の遊技領域１０ａを介して、遊技機の前面側から視認可能になっている（図２、図３参照）。
【０１３０】
図１５に示すように、液晶表示装置２０の背面には、前述したカバーケース２１の他に、当該カバーケース２１の下部に、フォトトランジスタ２０−１，２０−２が後方に向けて設けられている。
【０１３１】
次に、本体２１１の構成について、図１６〜図１９を参照して説明する。
【０１３２】
図１６は、液晶表示装置２０、遊技盤１０を取り付ける前の本体２１１を表面側から見た様子（正面図）を示している。また、図１７〜図１９は本体２１１の要部を拡大して示している。
【０１３３】
本体２１１は、前述のように、液晶表示装置２０に設けられているインバータ基板を収容するインバータ基板収容凹部５２０、液晶表示装置２０の上方向の移動を規制する段部（以下、「上方向移動規制段部」という。）５３１，５３２、および液晶表示装置２０を本体２１１に固定するための４つのボス５４１，５４２，５４３，５４４を追加した構成になっている。
【０１３４】
本体２１１には、所定の部位に、本体２１１の内側に滞留する熱を外部に放熱するための複数の切り欠き部（孔）５５１が形成されている。
【０１３５】
インバータ基板収容凹部５２０には、インバータ基板から発せられる熱を外部に放熱するための複数の孔５２１が形成されている。
【０１３６】
ところで、前述のように、ベース枠２（の本体２１１）には、液晶表示装置２０の前方向の移動を規制する取付係合部２１０，２３０、および液晶表示装置２０の下端部を支持する下端支持段部５１７，５１８が設けられている。
【０１３７】
すなわち、本体２１１には、液晶表示装置２０に関し、その下端を支持する下端支持段部５１７，５１８（図１７〜図１９参照）、その上方向の移動を規制する上方向移動規制段部５３１，５３２、その上端を支持する突出部の機能を有する取付係合部２１０，２３０が設けられている。
【０１３８】
なお、図示するように、下端支持段部５１７，５１８は、左右に分割して２カ所に形成されており、したがって、下端支持段部５１７，５１８は液晶表示装置２０の下端の一部（本実施の形態では、液晶表示装置２０の下端の左右）を支持し、下端の他の箇所（つまり、下端支持段部５１７と下端支持段部５１８との間）は支持しないようになっている。なお、下端支持段部を分割することなく液晶表示装置２０の下端部全面に対応するように形成し、液晶表示装置２０の下端部全面を支持するようにしてもよい。
【０１３９】
また、下端支持段部５１７，５１８においては、それぞれの上面５１７ａ，５１８ａによって液晶表示装置２０の下端部を支持するようになっている。また、下端支持段部５１７，５１８の上面５１７ａ，５１８ａの奥行きは、液晶表示装置２０が仮固定の状態（後述する）では、当該液晶表示装置２０の下端部が前方にはみ出し、本固定の状態（後述する）となったときに、はみ出さなくなる長さに形成されている。
【０１４０】
ここで、向かって右側に位置する下端支持段部５１８の上面５１８ａには、副制御基板８００に設けられた複数の発光ダイオード８００−１および液晶表示装置２０に設けられた複数のフォトトランジスタ２０−１にそれぞれ対応する複数の貫通孔（光路形成手段）６００−１、ならびに、副制御基板８００に設けられた発光ダイオード８００−２および液晶表示装置２０に設けられたフォトトランジスタ２０−２に対応する貫通孔（光路形成手段）６００−２が、前後方向に貫通して形成されている。
【０１４１】
そして、副制御基板８００がベース枠２の背面側に密着して正しく取り付けられ、液晶表示装置２０がベース枠２の前面側に密着して正しく取り付けられたとき、つまり副制御基板８００と液晶表示装置２０とが所定の取付状態になったときに、発光ダイオード８００−１，８００−２とこれに対応するフォトトランジスタ２０−１，２０−２とが貫通孔６００−１，６００−２に臨むとともに、当該貫通孔６００−１，６００−２により光の漏れが防止されことになる。これにより、発光ダイオード８００−１，８００−２とフォトトランジスタ２０−１，２０−２との間の光路が形成されて両者を光学的に結合される。
【０１４２】
これにより、副制御基板８００と液晶表示装置２０とが発光ダイオード８００−１，８００−２およびフォトトランジスタ２０−１，２０−２を介して接続され、副制御基板から液晶表示装置２０に画像データが送信され、液晶表示装置２０の表示領域２０ａに所定の演出画像が表示されるとともに、報知ランプ３９ｂが点灯する。
【０１４３】
一方、副制御基板８００および液晶表示装置２０の何れもが、あるいは何れかが所定の取付状態でないときには、発光ダイオード８００−１，８００−２およびフォトトランジスタ２０−１，２０−２の何れもが、あるいは何れかが貫通孔６００−１，６００−２に臨まなくなる。これにより、発光ダイオード８００−１，８００−２とフォトトランジスタ２０−１，２０−２との間の光路が遮断されて両者の光学的結合が阻止される。
【０１４４】
取付係合部２１０，２３０において、液晶表示装置２０の上端部を支持し、かつ液晶表示装置２０の前方向の移動を規制する突出部の機能を果たす部分は、図６に示すように、ベース部３１１の部位３４０の下側部位３４１である。
【０１４５】
したがって、液晶表示装置２０は、遊技盤１０の背後に位置するように本体２１１に対し当該本体２１１の表面側から取り付けられ、かつ当該液晶表示装置２０の上端が突出部である下側部位３４１によって前方向の移動が規制されるとともに、当該液晶表示装置２０の下端が下端支持段部５１７，５１８によって支持される。そして、取り付けは、液晶表示装置２０における下端支持段部５１７，５１８に支持されていない下端に手を入れて行う。
【０１４６】
このように本実施の形態においては、遊技盤１０を固定するための上側の２つの取付係合部２１０，２３０および下端支持段部５１７，５１８を利用して、液晶表示装置２０の仮固定を行うことが可能である。
【０１４７】
再度、図１６を参照して説明する。
【０１４８】
下端支持段部５１７，５１８のそれぞれの上面５１７ａ，５１８ａから、取付係合部２１０，２３０におけるベース部３１１の部位３４０の下側部位３４１の先端面までの距離（高さ）Ｈ１は、図１４に示した液晶表示装置２０の高さＨよりも短くなっている。
【０１４９】
すなわち、液晶表示装置２０の下端を下端支持段部５１７，５１８のそれぞれの上面５１７ａ，５１８ａに載置し、しかも液晶表示装置２０を上面５１７ａ，５１８ａに対し垂直にした場合に、当該液晶表示装置２０の上端がベース部３１１の部位３４０の下側部位３４１と接して、当該液晶表示装置２０の前方向の移動を規制するように、下端支持段部５１７，５１８と取付係合部２１０，２３０（のベース部３１１）とが配置されるようになっている。
【０１５０】
また、本体２１１の凹部５００における側部Ｗ１と側部Ｗ２との間の距離（幅）は、図１４に示す液晶表示装置２０の幅Ｗよりも多少長くなっている。すなわち、側部Ｗ１と側部Ｗ２との間の幅は、液晶表示装置２０を凹部５００に取り付けたときに、液晶表示装置２０に設けられている４つの固定部２２，２３，２４，２５の４つの固定孔２２ａ，２３ａ，２４ａ，２５ａと本体２１１の凹部５００に設けられている４つのボス５４１，５４２，５４３，５４４とが略一致するように、当該液晶表示装置２０の取り付けが可能で、かつ凹部５００の側部Ｗ１および側部Ｗ２によって当該液晶表示装置２０の左右方向の移動が規制できる幅になっている。
【０１５１】
したがって、ベース枠２に液晶表示装置２０を仮固定したならば、液晶表示装置２０に設けられている４つの固定部２２，２３，２４，２５の４つの固定孔２２ａ，２３ａ，２４ａ，２５ａと本体２１１に設けられている４つのボス５４１，５４２，５４３，５４４とが前後方向に略一致し、液晶表示装置２０に設けられているフォトトランジスタ２０−１，２０−２と本体２１１の下端支持段部５１８の上面５１８ａに形成された貫通孔６００−１，６００−２とが略一致するように当該液晶表示装置２０が位置決めされるので、次の作業である本固定を容易に行うことができるようになる。
【０１５２】
その後、液晶表示装置２０は、ネジなどの固定部材が、固定部２２，２３，２４，２５の固定孔２２ａ，２３ａ，２４ａ，２５ａを介して、本体２１１のボス５４１，５４２，５４３，５４４にネジ止めされることで、本固定される。
【０１５３】
ここで、液晶表示装置２０および副制御基板８００の本体２１１に対する本固定の状態について、図２０を用いて説明する。
【０１５４】
液晶表示装置２０をベース枠２の本体２１１に仮固定したときには（図２０（ａ））、液晶表示装置２０は、上端が取付係合部２１０，２３０により前方向への移動が規制され、下端が下端支持段部５１７，５１８により支持された状態にとどまっている。また、前述のように、液晶表示装置２０の固定孔２２ａ，２３ａ，２４ａ，２５ａと本体２１１のボス５４１，５４２，５４３，５４４とが略一致している。さらに、液晶表示装置２０の下端部は下端支持段部５１７，５１８の上面５１７ａ，５１８ａから前方にはみ出した不安定な状態となっている。
【０１５５】
この図２０（ａ）に示す仮固定の状態から、固定部材であるネジ６２０を、固定孔２２ａ，２３ａ，２４ａ，２５ａを介して（つまり固定孔２２ａ，２３ａ，２４ａ，２５ａに貫通させて）ボス５４１，５４２，５４３，５４４にネジ止めすると、ネジ６２０のボス５４１，５４２，５４３，５４４に対する螺合に伴って液晶表示装置２０が本体２１１の凹部５００に徐々に接近していき、最終的に、図２０（ｂ）に示すように、本体２１１に本固定される。
【０１５６】
同様に、副制御基板８００についても、副制御基板８００の両側面の上下に形成された固定孔８００ａを介してベース枠２の背面に形成されたボス８０１ａにネジ止めすることにより、副制御基板８００が本体２１１に固定される。
【０１５７】
これにより、前述のように、発光ダイオード８００−１，８００−２とこれに対応するフォトトランジスタ２０−１，２０−２とが貫通孔６００−１，６００−２に臨んで発光ダイオード８００−１，８００−２とフォトトランジスタ２０−１，２０−２との間の光路が形成され、両者が光学的に結合される。
【０１５８】
また、本固定により、液晶表示装置２０の下端部は下端支持段部５１７，５１８の上面５１７ａ，５１８ａから前方にはみ出すことなく、その全面が下端支持段部５１７，５１８に支持されて、安定した状態となる。
【０１５９】
このように、本実施の形態の遊技機では、発光ダイオード８００−１とフォトトランジスタ２０−１とを光学的に結合させることにより副制御基板８００と液晶表示装置２０とが光信号を介して遊技に係る情報のやり取りを行うようになっているので、副制御基板８００と液晶表示装置２０とから延出された配線を相互に接続するための端子の挿入されたコネクタが不要になる。これにより、コネクタ同士の嵌合作業をなくすことができる。
【０１６０】
また、副制御基板８００と液晶表示装置２０とが所定の取付状態になった場合に限り発光ダイオード８００−１とフォトトランジスタ２０−１との間の光路が貫通孔６００−１により形成されて両者の光学的結合がなされ光信号による遊技情報のやり取りができる。これにより、遊技情報のやり取りが可能か否かによって副制御基板８００と液晶表示装置２０との取付状態を容易に確認でき、これら副制御基板８００と液晶表示装置２０とを確実性をもって取り付けることが可能になる。
【０１６１】
さらに、副制御基板８００と液晶表示装置２０とがベース枠２に密着して取り付けられることにより、ベース枠２に形成された貫通孔６００−１からの光の漏れを防止することができるので、遊技情報のやり取りを正確に行うことが可能になる。
【０１６２】
なお、副制御基板８００と液晶表示装置２０とは、それぞれのベース枠２との対向面の全体がベース枠２に密着して取り付けられていてもよいが、図２０に示すように、副制御基板８００における発光ダイオード８００−１が設けられた箇所と液晶表示装置２０におけるフォトトランジスタ２０−１が設けられた箇所とがベース枠２に形成された貫通孔６００−１と密着していれば足りる。すなわち、本発明において、副制御基板８００と液晶表示装置２０とがベース枠２に密着して取り付けられるとは、少なくとも、副制御基板８００における発光ダイオード８００−１が設けられた箇所と液晶表示装置２０におけるフォトトランジスタ２０−１が設けられた箇所とがベース枠２に形成された貫通孔６００−１と密着していることをいう。
【０１６３】
そして、このように画像情報を送信するための発光ダイオード８００−１とフォトトランジスタ２０−１とが光学的に結合したときには、報知情報を送信するための発光ダイオード８００−２とフォトトランジスタ２０−２も光学的に結合して報知ランプ３９ｂが点灯するので、副制御基板８００と液晶表示装置２０とが所定の取付状態で取り付けられているか否かを報知ランプ３９ｂを介して確認できることから、遊技機１を開閉してこれらの部材の取付状態を確認する煩わしさがなくなる。
【０１６４】
さて、上述したようにして、液晶表示装置２０が本体２１１に本固定され、さらに遊技盤１０が本固定された場合には、液晶表示装置２０と遊技盤１０とは、例えば図２１に示すような配置関係で、取り付けられていることになる。すなわち、遊技盤１０の背後に液晶表示装置２０が配置されている。なお、図２１においては、遊技盤１０に設けられている取付部、取付係合部２１０の可動規制部４００、液晶表示装置２０に設けられているインバータ基板およびカバーケース２１などは図示していない。
【０１６５】
以上の説明では、液晶表示装置２０のベース枠２の前面側に取り付けられ、副制御基板８００がベース枠２の背面側に取り付けられるようになっていた。
【０１６６】
しかしながら、液晶表示装置２０が上方からベース枠２にスライド挿入され、副制御基板８００および液晶表示装置２０がともにベース枠２に対して背面側に取り付けられる場合には、図２２に示すように、光路形成手段としては、副制御基板８００と液晶表示装置２０との間に配置されて、副制御基板８００と液晶表示装置２０とが所定の取付状態となったときに一方端に発光ダイオード８００−１，８００−２が面するとともに他方端にフォトトランジスタ２０−１，２０−２が面する筒状部材６１０を用いる。なお、図示は省略されているが、この筒状部材６１０は、その内部が相互に対応する発光ダイオード８００−１，８００−２とフォトトランジスタ２０−１，２０−２との光路を形成する貫通孔が形成されて光の相互干渉が排除されている。
【０１６７】
このように、発光ダイオード８００−１，８００−２とフォトトランジスタ２０−１，２０−２とが筒状部材６１０を介して光学的に結合することにより、発光ダイオード８００−１，８００−２とフォトトランジスタ２０−１，２０−２との間における光の漏れを防止することができ、遊技情報のやり取りを正確に行うことが可能になる。
【０１６８】
なお、以上の説明においては、光信号を送信する発光素子として発光ダイオードが、光信号を受信する受光素子としてフォトトランジスタが用いられているが、発光素子としては、例えばレーザダイオード、豆球、ネオン球などを用いることができ、受光素子としては、例えばフォトダイオード、ＣｄＳセル、フォトサイリスタなどを用いることができる。
【０１６９】
さらに、本実施の形態では、第１の光学デバイスを発光素子、第２の光学デバイスを受光素子としたが、第１の光学デバイスを受光素子、第２の光学デバイスを発光素子としてもよい。また、第１の光学デバイスと第２の光学デバイスとが何れも複数の場合、一部の第１の光学デバイスと一部の第２の光学デバイスを発光素子とし、他の第１の光学デバイスと他の第２の光学デバイスを受光素子としてもよい。
【０１７０】
そして、本実施の形態では、第１の部材として副制御基板８００が、第２の部材として液晶表示装置２０が適用されているが、本発明はこれらに限定されるものではない。つまり、第１の部材および第２の部材としては、両者の間で遊技に係る情報が通信可能な様々な部材を適用することができ、例えば第１の部材として主制御基板を、第２の部材として副制御基板を適用することができる。
【産業上の利用可能性】
【０１７１】
以上の説明においては、本発明をパチンコ遊技機本体が遊技台に取り付けられた遊技機に適用した場合が説明されているが、本発明はこれに限定されるものではなく、パチスロ遊技機（スロットマシン）、雀球、スマートボールあるいはゲームセンターに設置された各種ゲーム機など、種々の遊技機に適用することが可能である。
【図面の簡単な説明】
【０１７２】
【図１】本発明の一実施の形態である遊技機を示す斜視図である。
【図２】図１の遊技機の正面図である。
【図３】本発明の一実施の形態に係る遊技機の遊技盤を示す正面図である。
【図４】図３の遊技盤の斜視図である。
【図５】図１の遊技機の取付係合部、上下方向規制部および左右方向規制部を説明する図である。
【図６】図１の遊技機に係る左上の取付係合部を示す斜視図である。
【図７】図１の遊技機に係る左下の取付係合部を示す斜視図である。
【図８】図１の遊技機に係る右下の取付係合部を示す斜視図である。
【図９】図１に示した遊技機の制御系を示すブロック図である。
【図１０】図１の遊技機の背面図である。
【図１１】図９の制御系の要部を示すブロック図である。
【図１２】図１に示した遊技機の構成要素の一部を抽出して表面側から見た分解斜視図である。
【図１３】図１に示した遊技機の構成要素の一部を抽出して背面側から見た分解斜視図である。
【図１４】図１の遊技機に取り付けられた液晶表示装置を示す正面図である。
【図１５】図１の遊技機に取り付けられた液晶表示装置を背面側から見た斜視図である。
【図１６】図１の遊技機の本体の内部の一例を示す正面図である。
【図１７】図１の遊技機の本体に設けられた下端支持段部近傍を示す斜視図である。
【図１８】図１の遊技機の本体に設けられた他の下端支持段部近傍を示す斜視図である。
【図１９】図１の遊技機の本体に設けられた他の下端支持段部近傍を拡大して示す斜視図である。
【図２０】液晶表示装置および副制御基板の本体に対する取り付けの様子を示す説明図である。
【図２１】液晶表示装置と遊技盤との配置関係を説明する斜視図である。
【図２２】本発明の他の実施の形態である遊技機における液晶表示装置と副制御基板との取付形態を示す説明図である。
【符号の説明】
【０１７３】
１  遊技機
２  ベース枠
３  ガラス扉
４  上皿部
４ａ  上皿
５  下皿部
５ａ  下皿
６  カバー
６ａ，６ｂ  スピーカ
７  ハンドル
８  シャッタレバー
１０  遊技盤
１０ａ  遊技領域
１１ａ  外レール
１１ｂ  内レール
１２  一般入賞口
１３  通過ゲート
１４  始動口
１４ａ  ポケット
１５  大入賞口
１６  アウト口
１７  普通電動役物
１７ａ  受け入れ口
１８  電動役物構成部材
１９  ワープ口
１９ａ  ワープ球通路
１９ｂ  ワープ出口
２０  液晶表示装置（表示装置・第２の部材）
２０ａ  表示領域
２０−１，２０−２  フォトトランジスタ（第２の光学デバイス）
２１  カバーケース
２２，２３，２４，２５  固定部
２２ａ，２３ａ，２４ａ，２５ａ  固定孔
３０ａ，３０ｂ  軸部
３３，３３ａ，３３ｂ  始動球通路
３９ｂ  報知ランプ（報知手段）
７０  基板ケースカバー
１００  主制御基板ケース
１１０，１２０，１３０，１４０  取付部
１１１，１２１，１３１，１４１  ピン部
１５０  電源基板ケース
２００  主制御回路
２０４  初期リセット回路
２０６  コマンド出力ポート
２０７  ランプ制御回路
２１０，２２０，２３０，２４０  取付係合部
２１１  本体
３００  副制御回路
３０５  画像制御回路
３０６  音声制御回路
３０７  ランプ制御回路
３１０  案内部
３１１  ベース部
３２０  収納部
３３０  軸部
３４０  部位
３４１  下側部位
４００  可動規制部
４５０  貯留タンク
５００  凹部
５０１ａ，５０１ｂ  軸受け部
５０２  固定部
５１３，５１４  下方向規制部
５１５，５１６  左右方向規制部
５１５ａ  切り欠き部
５１６  左右方向規制部
５１６ａ  切り欠き部
５１７，５１８  下端支持段部
５１７-１，５１８−１  取付孔
５１７-２ａ，５１８−２ａ  底面部
５１７-２ａ，５１８−２ａ  陥没部
５１７ａ，５１８ａ  上面
５２０  インバータ基板収容凹部
５３１，５３２  上方向移動規制段部
５４１，５４２，５４３，５４４  ボス
６００  整流樋
６００−１，６００−２  貫通孔（光路形成手段）
６１０  筒状部材（光路形成手段）
６２０  ネジ
７００  払出装置
８００  副制御基板（第１の部材）
８００−１，８００−２  発光ダイオード（第１の光学デバイス）
８００ａ  固定孔
８０１ａ  ボス
【図１】
2008023119.tif 000003
【図２】
2008023119.tif 000004
【図３】
2008023119.tif 000005
【図４】
2008023119.tif 000006
【図５】
2008023119.tif 000007
【図６】
2008023119.tif 000008
【図７】
2008023119.tif 000009
【図８】
2008023119.tif 000010
【図９】
2008023119.tif 000011
【図１０】
2008023119.tif 000012
【図１１】
2008023119.tif 000013
【図１２】
2008023119.tif 000014
【図１３】
2008023119.tif 000015
【図１４】
2008023119.tif 000016
【図１５】
2008023119.tif 000017
【図１６】
2008023119.tif 000018
【図１７】
2008023119.tif 000019
【図１８】
2008023119.tif 000020
【図１９】
2008023119.tif 000021
【図２０】
2008023119.tif 000022
【図２１】
2008023119.tif 000023
【図２２】
2008023119.tif 000024